(57)【要約】【課題】基板ケースの不正な開放を困難にし、制御基板に対する不正行為の予防を可能とする構成の基板ケースユニットを提供する。【解決手段】基板ケースユニットは、ケース本体１２０に対してケース蓋１３０を閉止方向に相対移動させるときは、ピニオンギヤ１３８が反時計回り方向に回転してケース蓋１３０の閉止方向への相対移動が可能となり、ケース本体１２０に対してケース蓋１３０を開放方向に相対移動させようとするときには、ピニオンギヤ１３８が時計回り方向に回転されようとするがワンウェイクラッチ１３９により当該回転が規制されてケース蓋１３０の開放方向への相対移動が阻止される。【選択図】図１４
2014033783.tif 000002
【特許請求の範囲】
【請求項１】
第１ケース部材及び前記第１ケース部材に対して開閉可能に取り付けられる第２ケース部材を備え、前記第１ケース部材に対して前記第２ケース部材を開閉移動方向における閉止方向に相対移動させて閉止状態で保持され、当該閉止状態で形成されるケース内部に制御基板を収容する基板ケースユニットであって、
前記第１ケース部材に取り付けられるラックギヤと、
前記第２ケース部材に取り付けられるギヤアッセンブリと、を備え、
前記ギヤアッセンブリは、前記第１ケース部材に対する前記第２ケース部材の相対移動に伴って前記ラックギヤと噛合回転するピニオンギヤと、前記ピニオンギヤの所定方向の回転のみを規制する回転規制部材とを有し、
前記第１ケース部材に対して前記第２ケース部材を前記閉止方向に相対移動させるときは、前記ピニオンギヤが前記所定方向とは反対方向に回転して前記閉止方向への前記相対移動が可能となり、前記第１ケース部材に対して前記第２ケース部材を前記開閉移動方向における開放方向に相対移動させようとするときには、前記ピニオンギヤが前記所定方向に回転されようとするが前記回転規制部材により当該回転が規制されて前記開放方向への前記相対移動が阻止されるように構成されたことを特徴とする基板ケースユニット。
【請求項２】
前記ギヤアッセンブリは、前記閉止方向と直交する方向に延びて前記第２ケース部材に固定されて回転不能な支軸を更に有し、
前記回転規制部材は、外輪部及び内輪部を有して前記反対方向への回転を空転させ前記所定方向への回転を伝達するワンウェイクラッチであって、前記外輪部が前記ピニオンギヤに固定され前記内輪部が前記支軸に固定されており、前記ピニオンギヤが前記反対方向に回転しようとする場合は空転して前記ピニオンギヤと一体となって回転し、前記ピニオンギヤが前記所定方向に回転しようとする場合は前記支軸にロックされて回転を規制することを特徴とする請求項１に記載の基板ケースユニット。
【請求項３】
前記ギヤアッセンブリは、前記ピニオンギヤの少なくとも一側面側を覆う不正防止部材を更に有し、前記ピニオンギヤに対する前記支軸の抜去を規制することを特徴とする請求項１又は２に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。このような不正行為を防止して公正な遊技に供するため、制御基板は、ともに透明な樹脂材料を用いて形成されたケース本体とその前方に開閉可能に装着されるケース蓋とからなる基板ケース内に収容され、ケース本体に対してケース蓋を閉止状態でスライド装着したときに、ケース本体の側に形成した本体側カシメ部とケース蓋の側に形成した蓋側カシメ部とに跨るように外部からカシメ部材を挿入して両カシメ部を係合連結することで基板ケースを閉止状態でロックし、ケース蓋（もしくはケース本体）とその係合部との間を繋ぐ連結部をニッパ等の工具を用いて切り離さない限り基板ケースを開放不能にする不正開放防止構造が設けられている（例えば、特許文献１を参照）。
【先行技術文献】
【特許文献】
【０００３】
【特許文献１】特開２０１２−１１０９４号公報
【発明の概要】
【発明が解決しようとする課題】
【０００４】
しかしながら、上記従来の不正開放防止構造においては、基板ケースをロック状態としても、本体側カシメ部と蓋側カシメ部とをロックするためのカシメ部材は外部に露出しているため、外部からカシメ部材に容易にアクセスして操作することが可能であり、その結果、基板ケースが不正に開放される虞があるという課題がある。
【０００５】
本発明は、このような課題に鑑みてなされたものであり、基板ケースの不正な開放を困難にし、制御基板に対する不正行為の予防を可能とする構成の基板ケースユニットを提供することを目的とする。
【課題を解決するための手段】
【０００６】
このような目的達成のために、本発明に係る基板ケースユニットは、第１ケース部材（例えば、実施形態におけるケース本体１２０）及び第１ケース部材に対して開閉可能に取り付けられる第２ケース部材（例えば、実施形態におけるケース蓋１３０）を備え、第１ケース部材に対して第２ケース部材を開閉移動方向における閉止方向に相対移動させて閉止状態で保持され、当該閉止状態で形成されるケース内部に制御基板（例えば、実施形態における主制御基板４１）を収容する基板ケースユニットであって、第１ケース部材に取り付けられるラックギヤと、第２ケース部材に取り付けられるギヤアッセンブリと、を備え、ギヤアッセンブリは、第１ケース部材に対する第２ケース部材の相対移動に伴ってラックギヤと噛合回転するピニオンギヤと、ピニオンギヤの所定方向の回転のみを規制する回転規制部材（例えば、実施形態におけるワンウェイクラッチ１３９）とを有し、第１ケース部材に対して第２ケース部材を閉止方向に相対移動させるときは、ピニオンギヤが所定方向とは反対方向に回転して閉止方向への相対移動が可能となり、第１ケース部材に対して第２ケース部材を開閉移動方向における開放方向に相対移動させようとするときには、ピニオンギヤが所定方向に回転されようとするが回転規制部材により当該回転が規制されて開放方向への相対移動が阻止されるように構成される。
【発明の効果】
【０００７】
本発明によれば、基板ケースの不正な開放を困難にし、制御基板に対する不正行為を予防することが可能である。
【図面の簡単な説明】
【０００８】
【図１】本実施形態に係る主制御基板ケースユニットを備えたぱちんこ遊技機の斜視図である。
【図２】ぱちんこ遊技機の背面図である。
【図３】主制御基板ケースユニットの分解斜視図である。
【図４】主制御基板ユニットの平面図である。
【図５】図４における矢印V−Vに沿って示す断面図である。
【図６】図４における矢印VI−VIに沿って示す断面図である。
【図７】主制御基板ケースユニットにおけるケース本体の斜視図である。
【図８】主制御基板ケースユニットにおけるケース本体の正面図である。
【図９】（ａ）は図８における矢印IX(a)−IX(a)に沿って示す断面図、（ｂ）は図８における矢印IX(b)−IX(b)に沿って示す断面図である。
【図１０】主制御基板ケースユニットにおけるケース蓋の斜視図である。
【図１１】主制御基板ケースユニットにおけるケース蓋の平面図である。
【図１２】（ａ）は図１１における矢印XII(a)−XII(a)に沿って示す断面図、（ｂ）は図１１における矢印XII(b)−XII(b)に沿って示す断面図である。
【図１３】（ａ）はギヤアッセンブリの斜視図、（ｂ）はギヤアッセンブリの底面図である。
【図１４】ケース本体に対してケース蓋をスライド装着するときの不正開放防止構造の示す断面図であり、（ａ）はケース本体に対してケース蓋を左方にずらして前後に重ね合わせ状態、（ｂ）はケース本体に対してケース蓋を閉止方向にスライド移動させた状態、（ｃ）はケース本体に対してケース蓋を閉止して装着した状態を示す。
【図１５】ギヤアッセンブリの変形例を示す斜視図である。
【発明を実施するための形態】
【０００９】
以下、本発明の好ましい実施形態について図面を参照して説明する。本実施形態に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１０】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１１】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１２】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１３】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１４】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００及び演出制御基板ケースユニット２００が裏セットカバー３０Ｃにより覆われる）。
【００１５】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１６】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射及び払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１７】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１８】
［主制御基板ケースユニットの構成］
次に、本実施形態に係る主制御基板ケースユニット１００について図３〜図１３を追加参照して説明する。ここで、図３は主制御基板ケースユニット１００の分解斜視図、図４は主制御基板ユニット１００の平面図、図５は図４における矢印V−Vに沿って示す断面図、図６は図４における矢印VI−VIに沿って示す断面図、図７はケース本体の斜視図、図８はケース本体の正面図、図９（ａ）は図８における矢印IX(a)−IX(a)に沿って示す断面図、図９（ｂ）は図８における矢印IX(b)−IX(b)に沿って示す断面図、図１０はケース蓋の斜視図、図１１はケース蓋の平面図、図１２（ａ）は図１１における矢印XII(a)−XII(a)に沿って示す断面図、図１２（ｂ）は図１１における矢印XII(b)−XII(b)に沿って示す断面図、図１３（ａ）はギヤアッセンブリの斜視図、図１３（ｂ）はギヤアッセンブリの底面図である。なお、以降の説明においては、説明の便宜のため、上下及び左右前後の方向は、ぱちんこ遊技機ＰＭへの取付状態での方向として、図３の状態を基準にして定義しており、図３に示す矢印の方向をそれぞれ前後、左右、上下と称して説明する。
【００１９】
主制御基板ケースユニット１００は、ぱちんこ遊技機ＰＭにおける制御の中枢を担う前述の主制御基板４１と、主制御基板４１を内部に収容する略矩形容器状の基板ケース１１０と、を主体として構成されている。
【００２０】
主制御基板４１は、詳細図示を省略しているが、矩形形状のプリント配線板を基板として種々の半導体デバイスや抵抗、コンデンサ、コネクタ等の電子・電気部品が実装されて構成されている。この主制御基板３１は、基板ケース１１０の内面側にビス止め固定される。
【００２１】
基板ケース１１０は、遊技盤１０の背面に着脱されるケース本体１２０と、このケース本体１２０に着脱自在に取り付けられるケース蓋１３０とを備えて構成されており、ケース本体１２０にケース蓋１３０を装着した閉止状態で前後整合するケース右端部及び左端部に、詳細後述する不正開放防止構造及び封印構造が設けられている。ケース本体１２０及びケース蓋１３０は、透明な樹脂材料（例えば、熱可塑性樹脂）を用いて射出成形等の成形手段により形成され、外部からでも基板ケース１１０内を視認可能に構成されている。
【００２２】
ケース本体１２０は、後面側に開口を有する矩形箱状に形成された本体側基部１２１と、本体側基部１２１の左端部に一体的に形成された本体側封印部１２２と、本体側基部１２１の右端部に一体的に形成された本体側カシメ部１２３と、を有している。本体側基部１２１の上下の側壁１２１ａには、底部１２１ｂからそれぞれ後方に突出する本体側スライド係合部１２１ｃが左右方向に並んで複数形成されている。
【００２３】
ケース蓋１３０は、前面側に開口を有する矩形箱状に形成された蓋側基部１３１と、蓋側基部１３１の左端部に一体的に形成された蓋側封印部１３２と、蓋側基部１３１の右端部に連結部１３３ａを介して一体的に繋がる蓋側カシメ部１３３と、を有しており、ケース本体１２０に対して左右方向にスライド装着可能に構成されている。蓋側基部１３１の上下の側壁１３１ａには、この側壁１３１ａが延びる長手方向（左右方向）に沿って前面側に開口してケース本体１２０の本体側スライド係合部１２１ｃを受容可能な凹溝状の蓋側溝部１３１ｂ（図１０を参照）が形成されるとともに、この蓋側溝部１３１ｂ内においてケース本体１２０の本体側スライド係合部１２１ｃと係合可能な蓋側スライド係合部１３１ｃ（図１０を参照）が形成されている。ケース蓋１３０には、主制御基板４１のコネクタ（図示省略）の実装位置に対応して表裏貫通するコネクタ挿抜口１３１ｄが形成されており、主制御基板４１が基板ケース１１０に取り付けられた状態で、主制御基板４１のコネクタがコネクタ挿抜口１３１ｄを通して外部に露出し、演出制御基板４２や払出制御基板４３等とハーネス（コネクタケーブル）を介して電気接続可能となる。
【００２４】
ケース本体１２０に対してケース蓋１３０を取り付けるには、ケース本体１２０に対してケース蓋１３０を左方に若干ずらした状態で前後に対向させて、ケース蓋１３０の蓋側溝部１３１ｂにケース本体１２０の本体側スライド係合部１２１ｃを挿入し、ケース本体１２０に対してケース蓋１３０を右方向（以下において「閉止方向」とも称する）にスライド移動させることにより、本体側スライド係合部１２１ｃと蓋側スライド係合部１３１ｃとを係合させる。これによりケース蓋１３０がケース本体１２０に対して閉止状態で取り付けられる。そして、このように前後に重なる本体側封印部１２２と蓋側封印部１３２とにより封印構造が構成されるとともに、本体側カシメ部１２３と蓋側カシメ部１３３とにより不正開放防止構造が構成されている。
【００２５】
封印構造は、ケース本体１２０の本体側基部１２１に一体的に繋がって形成された本体側封印部１２２と、ケース蓋１３０の蓋側基部１３１に一体的に繋がって形成された蓋側封印部１３２と、本体側封印部１２２に貼着される封印シール１４０と、封印シール１４０を破壊するカッター部材１４１と、から構成される。
【００２６】
封印シール１４０は、詳細図示を省略するが、紙製のシート部材の表面に、ＩＣタグ及びこれに繋がるアンテナ線が透明な樹脂フィルムによって覆われて構成されており、ＩＣタグに格納された種々の情報（ぱちんこ遊技機ＰＭに関する情報、主制御基板４１の識別情報など）がアンテナ線を介して基板ケース１１０の外部からでもリーダによって読み取り可能となっている。
【００２７】
カッター部材１４１は、本体側封印部１２２に装着されて封印シール１４０を保護する一方、基板ケース１１０の開放時、つまり、ケース本体１２０に対してケース蓋１３０を左方向（以下において「開放方向」とも称する）にスライド移動させるときには、ケース側封印部１３２と協働して封印シール１４０を再生不能な程度にまで破壊するように構成されている。
【００２８】
続いて、不正開放防止構造（いわゆる、カシメ構造）は、ケース本体１２０における本体側基部１２１の右端に一体的に繋がって形成された本体側カシメ部１２３と、ケース蓋１３０における蓋側基部１３１の右端に一体的に繋がって形成された蓋側カシメ部１３３と、から構成される。
【００２９】
本体側カシメ部１２３は、後方に向けて開口する矩形箱状に形成された本体側カシメ収容部１２４と、本体側カシメ収容部１２４内に固定されたラックギヤ１２５と、を有して構成される。
【００３０】
本体側カシメ収容部１２４は、本体側カシメ部１２３のベースとなる台座部１２４ａと、台座部１２４ａに立設されて後方及び左方を除く三方においてラックギヤ１２５を覆う本体側立設壁１２４ｂと、台座部１２４ａに立設されて本体側立設壁１２４ｂの外側に配置される平板状の本体側リブ１２４ｃと、を有している。台座部１２４ａには左右方向に延びる断面矩形のギヤ取付溝１２４ｄが形成されており、このギヤ取付溝１２４ｄの底面に、基板ケース１１０のスライド方向（左右方向）に沿って延出するラックギヤ１２５が固定されている。また、本体側カシメ収容部１２４には、左右方向に開口する本体側係止孔１２４ｅが形成されている。
【００３１】
蓋側カシメ部１３３は、前方に向けて開口する矩形箱状に形成された蓋側カシメ収容部１３４と、蓋側カシメ収容部１３４内に取り付けられたギヤアッセンブリ１３５と、を有して構成される。なお、蓋側カシメ部１３３は、断面半円筒状の連結部１３３ａを介して蓋側基部１３１に連結されており、この連結部１３３ａを破壊することによって蓋側基部１３１と蓋側カシメ部１３３とを分離可能である。
【００３２】
蓋側カシメ収容部１３４は、ギヤアッセンブリ１３５を収容するための収容空間１３４ａを有している。この収容空間１３４ａには、蓋側カシメ収容部１３４の内壁面１３４ｂから内側へ向けて段差１３４ｃが形成されており、上下に対向する段差１３４ｃに挟まれてギヤアッセンブリ１３５が収容空間１３４ａ内に固定されるようになっている。また、蓋側カシメ収容部１３４には、左方に突出して延びて本体側収容部１２４の本体側係止孔１２４ｅと係合可能な蓋側係止片１３４ｅが形成されている。
【００３３】
ギヤアッセンブリ１３５は、蓋側カシメ収容部１３４の上下対向する段差１３４ｃ間に挟まれて固定される不正防止板金１３６と、不正防止板金１３６に固定される支軸１３７と、この支軸１３７に軸受型のワンウェイクラッチ１３９を介して同軸状に装着されるピニオンギヤ１３８と、を有している。
【００３４】
不正防止板金１３６は、帯板状の板金材を略コ字形に屈曲形成したものである。この不正防止板金１３６は、一対の側板金１３６ａと、これら一対の側板金１３６ａを繋ぐ底板金１３６ｂとを有して形成される。側板金１３６ａは、固定端側の底板金１３６ｂに対して垂直ではなく外側へ向けて若干傾斜しており（すなわち、一対の側板金１３６ａが底板金１３６ｂに対して台形状に僅かに拡開しており）、その自由端側には２カ所の切欠き１３６ｃが形成されている。不正防止板金１３６は、蓋側カシメ収容部１３４の一対の段差１３４ｃに挟まれて固定されており、この状態で側板金１３６ａの自由端側が蓋側カシメ収容部１３４から外側に突出するように構成される。側板金１３６ａの自由端側は、蓋側カシメ収容部１３４の内壁面１３４ｂと離間しており、内壁面１３４ｂと近接・離間する方向（当該側板金１３６ａの板面に直交する方向）に弾性変形が可能に配置されている。
【００３５】
支軸１３７は、不正防止板金１３６における一対の側板金１３６ａの内面間に跨って固定されており、ピニオンギヤ１３８及びワンウェイクラッチ１３９の回転中心となる。なお、支軸１３７（ピニオンギヤ１３８及びワンウェイクラッチ１３９の軸心）は、基板ケース１１０のスライド方向と直交するように配置されている。
【００３６】
ピニオンギヤ１３８は、本体側カシメ部１２３のラックギヤ１２５と噛合し、当該ラックギヤ１２５と協働作用してラックアンドピニオン機構を構成する。なお、ピニオンギヤ１３８としては、例えば、ギヤとワンウェイクラッチとが一体的にユニット化されたワンウェイクラッチユニット（例えば「ＮＴＮ社製」）を用いることができる。
【００３７】
ワンウェイクラッチ１３９は、周知のように、ある一定方向の回転駆動力のみを伝達する機械要素である。ワンウェイクラッチ１３９は、詳細図示を省略するが、内輪及び外輪を有し、内輪及び外輪の一方が所定方向に回転しようとするときは内輪と外輪とが噛合してその楔作用によって他方に回転駆動力が伝達されるとともに、内輪及び外輪の一方がそれとは逆方向に回転しようとするときは空転する構成である。
【００３８】
ワンウェイクラッチ１３９の内輪側は回転不能となるように支軸１３７に固定されており（つまり、内輪は固定輪である）、外輪のみがピニオンギヤ１３８と共に回転し得るようになっている。本実施形態では、ピニオンギヤ１３８が外輪と共に時計回り方向（図１２における矢印Ａ方向）に回転しようするときは、その楔作用による内輪と外輪とのロック状態によってピニオンギヤ１３８の回転が規制される（ピニオンギヤ１３８が回転できなくなる）。他方、ピニオンギヤ１３８が外輪と共に反時計回り方向（図１２における矢印Ｂ方向）に回転しようとするときは、外輪が内輪に対して空転してピニオンギヤ１３８が回転可能である。すなわち、かかる構成では、ピニオンギヤ１３８は、支軸１３７を中心として反時計回り方向にのみ回転し、時計回り方向への回転が規制される。そのため、ケース本体１２０に対してケース蓋１３０を閉止方向（右方向）にスライド移動させるためのピニオンギヤ１３８の反時計回り方向への回転は許容される一方、ケース蓋１３０を開放方向（左方向）にスライド移動させるためのピニオンギヤ１３８の時計回り方向への回転は規制される。
【００３９】
なお、本実施形態の不正開放防止構造には、次回使用予定となる未使用の支軸、ピニオンギヤ１３８及びワンウェイクラッチ１３９を一体化した状態で収納する予備部材収納部１１５が設けられている。この予備部材収納部１１５に予め収納された、支軸１３７、ピニオンギヤ１３８及びワンウェイクラッチ１３９は、次回の基板ケース１１０のカシメの際に、未使用の蓋側カシメ収納部１３４（連結部１３３ａが切り離されていない状態の蓋側カシメ収納部１３４）に装着されて使用に供されることとなる。
【００４０】
［主制御基板ケースユニットの作用］
次に、このように構成される主制御基板ケースユニット１００において、基板ケース１１０を組み立てるときの不正開放防止構造の作用について図１４を追加参照して説明する。ここで、図１４はケース本体１２０に対してケース蓋１３０をスライド装着するときの不正開放防止構造の作用を示す断面図であり、（ａ）はケース本体１２０に対してケース蓋１３０を左方にずらして前後に重ね合わせ状態、（ｂ）はケース本体１２０に対してケース蓋１３０を閉止方向にスライド移動させた状態、（ｃ）はケース本体１２０に対してケース蓋１３０を閉止して装着した状態を示す。
【００４１】
ケース本体１２０へのケース蓋１３０の取り付けは、まず始めに、ケース蓋１３０をケース本体１２０に対して左方に若干ずらした位置で前後に重なり合わせる。このとき、不正開放防止構造においては、蓋側カシメ収容部１３４が本体側カシメ収容部１２４の本体側立設壁１２４ｂ，１２４ｂ間に受容されるとともに、蓋側カシメ収容部１３４から外方に突出する不正防止板金１３６の自由端側がその弾性によって本体側カシメ収容部１２４のギヤ取付溝１２４ｄの壁面１２４ｆに当接して、本体側カシメ収容部１２４と蓋側カシメ収容部１３４との境界面の隙間を塞ぐ（図６を参照）。一方、図１４（ａ）に示すように、蓋側カシメ部１３４のピニオンギヤ１３８は本体側カシメ部１２３のラックギヤ１２５に対して左方にずれており、ピニオンギヤ１３８とラックギヤ１２５とは未だ噛合してない状態である。
【００４２】
次に、ケース本体１２０に対してケース蓋１３０を右方向（閉止方向）にスライド移動させる。このとき、不正開放防止構造においては、図１４（ｂ）に示すように、蓋側カシメ部１３３が一対の本体側立設壁１２４ｂ，１２４ｂ間に案内されて本体側カシメ部１２３に対して右方向にスライド移動することで、蓋側カシメ部１３４のピニオンギヤ１３８が本体側カシメ部１２３のラックギヤ１２５と噛合し始める。ピニオンギヤ１３８とラックギヤ１２５が噛合した状態から、ケース蓋１３０（蓋側カシメ部１３３）を閉止方向にスライド移動させると、ピニオンギヤ１３８はラックギヤ１２５と噛合しながら反時計回り方向に回転しようとするが、この場合にはワンウェイクラッチ１３９の外輪が内輪に対して空転するので、ピニオンギヤ１３８はラックギヤ１２５に対して噛合回転することが可能である。これによりピニオンギヤ１３８がラックギヤ１２５と噛合回転しながら当該ラックギヤ１２５に沿って右方向へ移動するため、ケース蓋１３０（ケース側カシメ部１３３）の閉止方向へのスライド移動が許容される。
【００４３】
次に、本体側スライド係合部１２１ｃが蓋側スライド係合部１３１ｃと係合し、ケース本体１２０に対してケース蓋１３０が閉止状態で取り付けられる。このとき、不正開放防止構造においては、図１４（ｃ）に示すように、蓋側カシメ収容部１３４の蓋側係止片１３４ｅが本体側カシメ収容部１２４の本体側係止孔１２４ｅに係合し、ラックギヤ１２５に対するピニオンギヤ１３８の時計回り方向への回転動作が停止したところで、蓋側カシメ部１３３と本体側カシメ部１２３とが前後に位置整合する。このようにして基板ケース１１０が組み立てられると、ケース本体１２０に対してケース蓋１３０を開放方向（右方向）にスライド移動させようとしても、ラックギヤ１２５に対するピニオンギヤ１３８の時計回り方向の回転（ケース蓋１３０を開放方向にスライド移動させるための回転）がワンウェイクラッチ１３９によって規制されるため、本体側カシメ部１２３と蓋側カシメ部１３３とがロック状態で保持され、ケース本体１２０に対してケース蓋１３０を開放することはできない。これにより基板ケース１１０が強固な閉止状態に保持されて不正に開放することができなくなるため、主制御基板４１に対する電子部品の交換や改造等の不正行為を受け難くすることが可能である。
【００４４】
また、本体側カシメ収容部１２４と蓋側カシメ収容部１３４との境界面の内側において、ラックアンドピニオン機構を覆うように不正防止板金１３６が配置されるため、本体側カシメ収容部１２４と蓋側カシメ収容部１３４との境界面の隙間から針金やピアノ線等の不正部材を用いてラックアンドピニオン機構にアクセスしようとしても、不正部材のアクセス経路が不正防止板金１３６によって遮断される。そのため、ラックギヤ１２５とピニオンギヤ１３８との噛合を離脱させて、基板ケース１１０が不正に開放され得る状況となるのを防止することができる。
【００４５】
また、本体側カシメ部１２３に蓋側カシメ部１３３が前後に対向して重ね合された状態で、本体側カシメ部１２３と蓋側カシメ部１３３との境界面の外側を覆うように本体側リブが立設されているため、この境界面を起点として基板ケース１１０を工具等によってこじ開けるのが困難となり、基板ケース１１０が強制的に開放されるのを防止することができる。
【００４６】
なお、この状態から基板ケース１１０を開放するには、ケース蓋１３０の蓋側基部１３１と蓋側カシメ部１３３との間を繋ぐ連結部１３３ａを破壊して、本体側カシメ部１２１と係合連結した状態の蓋側カシメ部１３３を蓋側基部１３１から切り離せばよい。
【００４７】
ここで、本体側カシメ部１２３及び蓋側カシメ部１３４は、ケース本体１２０及びケース蓋１３０の右端部に夫々２つずつ（すなわち２組）設けられているが、ケース本体１２０とケース蓋１３０とを閉止状態で結合するためには、いずれか１組の本体側カシメ部１２３と蓋側カシメ部１３３とが係合連結していればよい。そのため、本体側カシメ部１２３と係合連結した蓋側カシメ部１３３の連結部１３３ａが破壊されても、他の１組は未だ使用可能であり、主制御基板４１の保守点検や検査等をするために基板ケース１１０が正当に開放されたときには、当該他の１組を用いて基板ケース１１０をロック状態で閉止させればよい。なお、このときは、前述した予備部材収納部１１５に予め収納された未使用の支軸１３７、ピニオンギヤ１３８及びワンウェイクラッチ１３９を用いればよい。
【００４８】
以上、本実施形態に係る主制御基板ケースユニット１００は、ケース本体１２０に対してケース蓋１３０を閉止方向に相対移動させるときピニオンギヤ１３８による反時計回り方向の回転を許容して当該閉止方向への相対移動を可能とし、ケース本体１２０に対してケース蓋１３０を開放方向に相対移動させるときピニオンギヤ１３８による時計回り方向の回転を規制して当該開放方向への相対移動を阻止する構成であるため、基板ケース１１０の不正な開放を防止して、主制御基板４１に対する電子部品の交換や改造等の不正行為を受け難くすることができる。更に、基板ケース１１０の本体側カシメ収容部１２４及び蓋側カシメ収容部１３４の内部に、カシメ部材たるワンウェイクラッチ１３９及びラックアンドピニオン１２５，１３８を密閉する構成であるため、外部から当該カシメ部材に容易にアクセスして操作することが出来なくなり、基板ケース１１０に対する不正行為をより厳重に予防することが可能となる。また、ケース本体１２０に対してケース蓋１３０を閉止方向に相対移動させて装着するだけで、ワンウェイクラッチ１３９によりピニオンギヤ１３８とラックギヤ１２５とがロック状態で保持されるため、外部からカシメ部材を挿入する等の他の作業が不要となり、基板ケース１１０の組立の作業性が向上する。従って、本実施形態に係る主制御基板ユニット１００によれば、基板ケース１１０の不正な開放を困難にし、主制御基板４１に対する不正行為を効果的に予防することが可能である。
【００４９】
また、本実施形態に係る主制御基板ケースユニット１００によれば、ピニオンギヤ１３８の回転を規制する回転規制部材をワンウェイクラッチ１３９により構成し、基板ケース１１０を閉止するためにピニオンギヤ１３８が反時計回り方向へ回転しようとする場合にはワンウェイクラッチ１３９が空転してピニオンギヤ１３８と一体となって回転する一方、基板ケース１１０を開放するためにピニオンギヤ１３８が時計回り方向に回転しようとする場合にはワンウェイクラッチ１３９がその楔作用による内輪と外輪とのロック状態によってピニオンギヤ１３８の回転が規制される（ピニオンギヤ１３８が回転できなくなる）よう構成することで、簡明な構成で強固な不正開放防止構造を実現することができるとともに、不正開放防止構造の機能部品（ラックアンドピニオン１２５，１３８、ワンウェイクラッチ１３９）として標準品（汎用品）を使用することができ、製造コストの低減を図ることが可能になる。
【００５０】
また、本実施形態に係る主制御基板ケースユニット１００によれば、ギヤアッセンブリ１３５が、ピニオンギヤ１３８の両側面を覆ってピニオンギヤ１３８に対する支軸１３７の抜去を規制する不正防止板金１３６を備えて構成されるため、ワンウェイクラッチ１３９から支軸１３７を抜去してピニオンギヤ１３８とラックギヤ１２５とのロック状態を解除するような不正行為を阻止することができる。
【００５１】
ここで、上述の実施形態では、ギヤアッセンブリ１３５を、支軸１３７と、ピニオンギヤ１３８と、ワンウェイクラッチ１３９と、これらを覆うように取り付けられる断面コ字状の不正防止板１３６と、から構成しているが、ギヤアッセンブリの構成は適宜改良可能である。例えば、図１５にギヤアッセンブリの変形例を示している。この変形例に係るギヤアッセンブリ２３５は、フランジ付き支軸２３７と、ピニオンギヤ２３８と、ワンウェイクラッチ（図１５では不図示）と、平板状の不正防止板２３６と、から構成される。このギヤアッセンブリ２３５では、ワンウェイクラッチの内輪に対してフランジ付き支軸２３７のフランジ２３７ａがピニオンギヤ２３８の一側面側に位置するように挿入し、ピニオンギヤ２３８の他側面側に不正防止板金２３６をあてがって当該他側面側に挿通したフランジ付き支軸２３７の軸部２３７ｂを不正防止板金に固定する。この構成によれば、フランジ付き支軸２３７を一側面側に抜去しようとすると不正防止板金２３６によって阻止される一方、他側面側に抜去しようとしてもフランジ２３７ａによって阻止される。そのため、ワンウェイクラッチからフランジ付き支軸２３７を抜去してピニオンギヤ２３８とラックギヤ１２５とのロック状態を解除するような不正行為を効果的に防止することができる。なお、このとき、計二つある蓋側カシメ部１３３，１３３のうち、一方の蓋側カシメ部１３３の不正防止板金２３６は隣接する他の蓋側カシメ部１３３側に配置することが好ましい。この構成によれば、隣接する二つの蓋側カシメ部１３３，１３３の隙間からは不正防止板金２３６にアクセスするための十分なスペースがないため、不正防止板金２３６を破壊してピニオンギヤ２３８とラックギヤ１２５とのロック状態を解除するような不正行為を阻止することができる。
【００５２】
なお、本発明は、上記実施形態に限定されるものではなく、本発明の要旨を逸脱しない範囲であれば適宜改良可能である。
【００５３】
上述の実施形態では、ケース本体にラックギヤを設け、ケース蓋にギヤアッセンブリ（ピニオンギヤ、ワンウェイクラッチ）を設けて構成しているが、この構成に限定されず、ケース本体にギヤアッセンブリを設け、ケース蓋にラックギヤを設けて構成してもよいものである。
【００５４】
また、上述の実施形態では、不正開放防止構造及び封印構造の両者を具備する基板ケースユニットを適用したが、この構成に限定されず、不正開放防止構造のみを具備する基板ケースユニットであってもよい。
【００５５】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００５６】
ＰＭ  ぱちんこ遊技機
１  外枠
２  前枠
５  ガラス枠
１０  遊技盤
４１  主制御基板（制御基板）
１００  主制御基板ケースユニット（基板ケースユニット）
１１０  基板ケース
１２０  ケース本体(第１ケース)
１２３  本体側カシメ部
１２５  ラックギヤ
１３０  ケース蓋（第２ケース）
１３３  蓋側カシメ部
１３５  ギヤアッセンブリ
１３６  不正防止板金（不正防止部材）
１３７  支軸
１３８  ピニオンギヤ
１３９  ワンウェイクラッチ（回転規制部材）
【図１】
2014033783.tif 000003
【図２】
2014033783.tif 000004
【図３】
2014033783.tif 000005
【図４】
2014033783.tif 000006
【図５】
2014033783.tif 000007
【図６】
2014033783.tif 000008
【図７】
2014033783.tif 000009
【図８】
2014033783.tif 000010
【図９】
2014033783.tif 000011
【図１０】
2014033783.tif 000012
【図１１】
2014033783.tif 000013
【図１２】
2014033783.tif 000014
【図１３】
2014033783.tif 000015
【図１４】
2014033783.tif 000016
【図１５】
2014033783.tif 000017